(57)【特許請求の範囲】
【請求項１】
単一景品を収納して遊技台の間に設置され、遊技台で使用する遊技媒体によって景品を交換販売する台間景品交換販売機であって、遊技媒体投入口から投入された遊技媒体を一個ずつ排出口へ転送する転走路と、閉じた状態で景品交換のために必要な数の遊技媒体を前記排出口へ向かう前記転走路に一個ずつ順次積み重ね貯留し開いた状態でこの貯留した遊技媒体を前記排出口から排出するように前記転走路を開閉作動する開閉手段が設けられ、前記転走路に積み重ね貯留された遊技媒体の最上位の遊技媒体を検出する検出器を備え、この検出器が検出したときこの積み重ね貯留された遊技媒体の最上位の遊技媒体の１つ上位に位置する遊技媒体を阻止する転走阻止手段を備え、前記１つ上位に位置する遊技媒体が位置する部位の前記転走路から転送路切換手段を介して返却転走路が分岐し、前記検出器の検出に基づき、前記転走阻止手段が前記１つ上位に位置する遊技媒体を阻止すると共に、この阻止された遊技媒体を前記返却転走路へ導入するように前記転送路切換手段が作動し、且つ前記開閉手段が開いて前記転走路に貯留されていた遊技媒体を前記排出口から排出すると共に景品を販売する構成であることを特徴とする台間景品交換販売機。
【発明の詳細な説明】
【０００１】
【発明の属する技術分野】
本発明は、パチンコやスロットマシンなどの遊技台の間に設置され、遊技台で使用する遊技媒体、すなわちパチンコ遊技台においてはパチンコ玉、スロットマシンにおいてはコインを用いて、缶コーヒーなどと交換販売する台間景品交換販売機に関する。
【０００２】
【従来の技術】
この種の技術としては、例えば特開平７−６８０４９号公報に、飲料物を収納する飲料物収納部と、飲料物を取り出す飲料物取出口と、メタル投入口とが備えられ、上部に前記飲料収納部が、その飲料物収納部の下部に前記飲料物取出口が、さらにその飲料物取出口の下方に前記メタル投入口が配置されて、前記メタル投入口にメタルを投入することにより、飲料物収納部に収納された飲料物を前記飲料物取出口から取り出すことが可能で、且つ、メタルを使用するゲーム機の横に設けられるメタル・飲料物交換機が開示されている。
【０００３】
【発明が解決しようとする課題】
しかし、上記従来技術においては、メタルの返却口が設けられていないため、余分に投入したメタルの返却ができなかった。このため、遊技客はメタルセンサが計数し、表示装置に表示されたメタルの枚数を確認しながらメタルを１枚ずつ慎重に投入することになり、この間遊技が疎かになるので、投入し過ぎたメタルなどが自動的に返却されるようにする必要があった。
【０００４】
【課題を解決するための手段】
本発明は上記従来技術の課題を解決するため、単一景品を収納して遊技台の間に設置され、遊技台で使用する遊技媒体によって景品を交換販売する台間景品交換販売機であって、遊技媒体投入口から投入された遊技媒体を一個ずつ排出口へ転送する転走路と、閉じた状態で景品交換のために必要な数の遊技媒体を前記排出口へ向かう前記転走路に一個ずつ順次積み重ね貯留し開いた状態でこの貯留した遊技媒体を前記排出口から排出するように前記転走路を開閉作動する開閉手段が設けられ、前記転走路に積み重ね貯留された遊技媒体の最上位の遊技媒体を検出する検出器を備え、この検出器が検出したときこの積み重ね貯留された遊技媒体の最上位の遊技媒体の１つ上位に位置する遊技媒体を阻止する転走阻止手段を備え、前記１つ上位に位置する遊技媒体が位置する部位の前記転走路から転送路切換手段を介して返却転走路が分岐し、前記検出器の検出に基づき、前記転走阻止手段が前記１つ上位に位置する遊技媒体を阻止すると共に、この阻止された遊技媒体を前記返却転走路へ導入するように前記転送路切換手段が作動し、且つ前記開閉手段が開いて前記転走路に貯留されていた遊技媒体を前記排出口から排出すると共に景品を販売する構成である台間景品交換販売機を提供するものである。
【０００７】
【発明の実施の形態】
以下、図面に基づいて本発明の実施形態を説明する。
【０００８】
本発明になる台間景品交換販売機１は、例えば図３に示したように横並びに列設するパチンコ遊技機５０の間に設置して使用される。なお、５５は台間玉貸し機である。
【０００９】
台間景品交換販売機１は、景品としての缶入などの飲料物７０を収納する収納部１１を上部から中・下段にかけて備え、その収納部１１の下方に景品を取り出すための取出手段１２と取出口１３とを備えて形成する。
【００１０】
また、台間景品交換販売機１は、収納部１１に飲料物７０が容易に収納できるように、収納部１１に臨む前面パネル１４を、例えば下側を図示しないヒンジなどで上部側が手前方向に回動可能に取り付けると共に、上部側に鍵穴１５を設けて図示しない鍵を持っていないと収納部１１が開放されないようにし、且つ、前面パネル１４には収納部１１に飲料物７０が収納されているときには点灯などして表示できる表示器１６を設置して形成する。
【００１１】
なお、収納部１１・取出手段１２・取出口１３・表示器１６などは、従来周知の技術の中から適宜採用できるし、加熱／冷却手段なども併設可能である。
【００１２】
また、台間景品交換販売機１は、取出口１３の下方にパチンコ玉６０を投入するための投入口１７を開設する。投入口１７は、上方が広く開口した受け部１８の底に開設し、複数個のパチンコ玉６０が容易に投入できるように構成する。
【００１３】
そして、投入口１７と、例えば島の図示しないパチンコ玉回収通路にパチンコ玉６０を案内するためのスプリング通路１９を取り付ける、背面側下面に開設した排出口とを、転走路２０を介して連通すると共に、この転走路２０の途中から分岐し、前面下部に開設する返却口２２に至る返却転走路２１を延設する。返却口２２にも受け部１８と同様の受け部２２ａを設ける。
【００１４】
転走路２０と返却転走路２１とは、何れも下り傾斜に設け、投入口１７に投入されたパチンコ玉６０が特別の動力を用いることなく自重でスプリング通路１９・返却口２２の何れにも到達できるようにする。
【００１５】
また、転走路２０と返却転走路２１との分岐点２３を挟んだ転走路２０の上流側と下流側とに、転走路２０を転走するパチンコ玉６０の個数を計数することができる計数器Ｓ１・Ｓ２をそれぞれ設置し、且つ、投入口１７から投入されたパチンコ玉６０をスプリング通路１９に自由に転走させたり、転走できなくしたり、所要個数、例えば１個づつ送出することのできる個数調節手段２４を分岐点２３の直下流側に設置し、さらに、投入口１７から投入されたパチンコ玉６０を返却転走路２１に自由に流入させたり、流入できなくしたりすることの可能な転走路切換手段２５を返却転走路２１の入口部に設置する。
【００１６】
個数調節手段２４は、パチンコ玉６０を１個抱え込むことができる凹部を円周部分に列設した歯車構造体などを用いて形成する。
【００１７】
転走路切換手段２５は、上流側に設置する計数器Ｓ１の下流側で、個数調節手段２４の直近の上流側の転走路２０の下面部に、上流側から下流側に転走しているパチンコ玉６０が抜け落ちることができる大きさの開口２０ａを開設し、且つ、この部分に例えば上流側の端部を支点にして下流側の端部が転走路２０に接離可能な開閉板部材２６を設置するなどして、開閉板部材２６の下流側の端部が転走路２０から離れてを開口２０ａを開口したときだけ、パチンコ玉６０が転走路２０から返却転走路２１に進入するように形成する。
【００１８】
転走路切換手段２５は、開閉板部材２６に図示しないスプリング部材などの機械的な力が開口２０ａを開口させる方向に作用し、図示しないソレノイドに通電して発生する電磁力などが開口２０ａを閉鎖させる方向に作用するように構成すれば、停電中やコンセントにプラグを差し込んでいないときには開口２０ａが開いているので、計数器Ｓ１・Ｓ２で計数できない状態のときにパチンコ玉６０が投入口１７から投入されても、パチンコ玉６０は全て開口２０ａを介して返却転走路２１に入り、返却口２２に返却される。
【００１９】
そして、個数調節手段２４と転走路切換手段２５の動作を、計数器Ｓ１・Ｓ２が計測するパチンコ玉６０の個数に基づいて制御器２７によって制御する。
【００２０】
例えば、個数調節手段２４は、上流から転走してきたパチンコ玉６０が邪魔されることなくそのまま下流のスプリング通路１９に向かって転走するように取り付けておき、制御器２７が出力する所定の制御信号を受けてパチンコ玉６０のスプリング通路１９への転走を阻止するように動作させる。
【００２１】
また、個数調節手段２４は、制御器２７が出力する所定の制御信号を受けてパチンコ玉６０を１個づつスプリング通路１９の側に送出する。
【００２２】
一方、転走路切換手段２５は、通常時に開口２０ａが開き、制御器２７が出力する所定の制御信号を受けて開口２０ａを閉じるように構成・設置する。
【００２３】
具体的に説明すると、スプリング通路１９に向かって転走路２０を転走しているパチンコ玉６０があれば、その個数を計数器Ｓ１・Ｓ２によって計数する。
【００２４】
そして、パチンコ玉６０の転走が上流側に設置した計測器Ｓ１によって確認されると、先ず制御器２７から転走路切換手段２５に所定の制御信号を出力し、開閉板部材２６を上流側を支点にして下流側を転走路２０側に回動し、開口２０ａを閉じ、これにより上流から転送してくるパチンコ玉６０をスプリング通路１９に向かわせる。
【００２５】
また、収納部１１の飲料物７０を、例えば５０個のパチンコ玉６０と交換販売する場合には、上流側の計測器Ｓ１が例えば４９個を計測したときに、制御器２７から個数調節手段２４に所定の制御信号を出力してパチンコ玉６０のスプリング通路１９方向への転走を阻止する。
【００２６】
そして、個数調節手段２４によってパチンコ玉６０のスプリング通路１９への転走を阻止してから所定時間、例えば１秒が経過してから、下流側に設置した計数器Ｓ２が計測したパチンコ玉６０の個数を調べる。
【００２７】
個数調節手段２４がパチンコ玉６０の転走を阻止してから計数器Ｓ２が計測したパチンコ玉６０の個数を調べるまでの時間は、個数調節手段２４と計数器Ｓ２との間をパチンコ玉６０が通過する時間より多少長く設定する。
【００２８】
計数器Ｓ２が、例えば４８個のパチンコ玉６０を計数していたときには、１回の動作で１個のパチンコ玉６０を下流側に送出する動作を個数調節手段２４に２回繰り返させて、２個のパチンコ玉６０をスプリング通路１９の側に追加して送出・転走し、合計５０個のパチンコ玉６０をスプリング通路１９を介してパチンコ玉回収通路に還流させると同時に、取出手段１２に所要の制御信号を出力してこれを動作させ、収納部１１の例えば最下部に収納されていた飲料物７０を取出口１３に搬送して、飲料物７０とパチンコ玉６０との交換販売を終える。
【００２９】
また、転走路切換手段２５の開閉板部材２６を、上流側を支点に下流側が転走路２０から離れる方向に回動し（通常、転走路切換手段２５への通電を切ることで達成される）、開口２０ａを開口させて個数調節手段２４によってスプリング通路１９方向への転走が阻止されていたパチンコ玉６０を返却転走路２１に導入し、返却口２２に戻して遊技客に返却する。
【００３０】
したがって、上記構成の本発明になる台間景品交換販売機においては、パチンコ玉６０を投入口１７に投入する動作が簡単に行えるし、転走路２０を転走しているパチンコ玉６０の個数が離して設置した二つの計数器Ｓ１・Ｓ２によって短時間で計測されるので、飲料物７０の交換販売が速やかに行える。
【００３１】
また、投入口１７に投入されたパチンコ玉６０の内、余剰分は返却口２２から返却されるので、遊技客は広口の受け部１８にパチンコ玉６０を多目に投入するだけで良く、余分な神経を使わななくて済むため遊技に集中できる。
【００３２】
また、図４に示したように、スプリング通路１９を連設する転走路２０の下端の排出口に、転走路２０からスプリング通路１９へのパチンコ玉６０の転走を阻止することができる開閉手段２８を取り付ける共に、この開閉手段２８によってスプリング通路１９へのパチンコ玉６０の転走を阻止した状態で投入口１７から転走路２０にパチンコ玉６０を投入したとき、転走路２０に貯溜されたパチンコ玉６０で開閉手段２８側から数えて５０個目と５１個目の境界に当たる部位の転走路２０に、所望時にのみスプリング通路１９方向へのパチンコ玉６０の転走を阻止することができる転走阻止手段２９を取り付け、且つ、開閉手段２８側から５１個目のパチンコ玉６０が位置する部位の転走路２０から、転走路切換手段２５を介して返却転走路２１を分岐し、さらに、開閉手段２８側から５０個目のパチンコ玉６０が停止していることが検出できる検出器Ｓ３を設置して、飲料物７０とパチンコ玉６０との交換販売を行うこともできる。
【００３３】
この場合、開閉手段２８は、通常状態で転走路２０からスプリング通路１９へのパチンコ玉６０の転走を阻止し、制御器２７が出力する所定の制御信号を受けて、転走路２０からスプリング通路１９へのパチンコ玉６０の転走が可能となるように、前記スプリング部材・ソレノイドなどを用いて形成した転走路切換手段２５における開閉板部材２６と同様に構成・設置する。
【００３４】
なお、この場合の開閉板部材２６は、前記図２における制御器Ｓ１に代えて投入口１７近くなどに設置され、パチンコ玉６０の通過が検知できる図示しない通過センサが出力する信号を受けて開口２０ａを開けるように構成・設置する。
【００３５】
したがって、パチンコ玉６０の転走が図示しない通過センサによって確認されると、この場合も先ず制御器２７から転走路切換手段２５に所定の制御信号が出力されて開閉板部材２６が動作し、開口２０ａを閉じて上流から転送してくるパチンコ玉６０をスプリング通路１９に向かわせる。
【００３６】
そして、検出Ｓ３によって停止したパチンコ玉６０が検出されると、転走阻止手段２９によってスプリング通路１９方向へのパチンコ玉６０の転走を阻止すると共に、開閉手段２８を動作させて開閉手段２８により転走が阻止されていたパチンコ玉６０をスプリング通路１９を介してパチンコ玉回収通路に還流させると同時に、取出手段１２に所要の制御信号を出力してこれを動作させ、収納部１１の最下部などに収納されていた飲料物７０を取出口１３に搬送し、飲料物７０とパチンコ玉６０との交換販売を終えるようにする。
【００３７】
そして、検出器Ｓ３によって停止したパチンコ玉６０が検出されると、転走阻止手段２９によってスプリング通路１９方向へのパチンコ玉６０の転走を阻止すると共に、開閉手段２８を動作させて開閉手段２８により転走が阻止されていたパチンコ玉６０をスプリング通路１９を介してパチンコ玉回収通路に還流させると同時に、取出手段１２に所要の制御信号を出力してこれを動作させ、収納部１１の例えば最下部に収納されていた飲料物７０を取出口１３に搬送して、飲料物７０とパチンコ玉６０との交換販売を終えるようにする。
【００３８】
また、転走路切換手段２５の開閉板部材２６を、上流側を支点に下流側が転走路２０から離れる方向に回動し（通常、転走路切換手段２５への通電を切ることで達成される）、開口２０ａを開口させて個数調節手段２４によってスプリング通路１９方向への転走が阻止されていたパチンコ玉６０を返却転走路２１に導入し、返却口２２に戻して遊技客に返却する。
【００３９】
したがって、上記構成の本発明になる台間景品交換販売機においても、投入口１７に投入されたパチンコ玉６０の個数が簡単に、且つ、短時間で計測できると共に、余ったパチンコ玉６０は返却口２２から返却されるので、飲料物７０の交換販売が速やかに行える上に、余分な神経を使わわなくて済むため遊技に集中することができる。
【００４０】
なお、本発明は上記実施形態に限定されるものではないので、特許請求の範囲に記載の趣旨から逸脱しない範囲で各種の変形実施が可能である。
【００４１】
例えば、計数器Ｓ１・Ｓ２の内、下流側の計数器Ｓ２だけを設置し、この計数器Ｓ２が例えば４７個目のパチンコ玉６０を計数したときに、制御器２７によって個数調節手段２４を動作させて、パチンコ玉６０のスプリング通路１９方向への転走を阻止すると共に、個数調節手段２４によってパチンコ玉６０のスプリング通路１９への転走を阻止してから所定時間、例えば１秒が経過してから、計数器Ｓ２が計測したパチンコ玉６０の個数を調べる。
【００４２】
この場合も、個数調節手段２４がパチンコ玉６０の転走を阻止してから計数器Ｓ２が計測したパチンコ玉６０の個数を調べるまでの時間は、個数調節手段２４と計数器Ｓ２との間をパチンコ玉６０が通過する時間より多少長く設定する。
【００４３】
そして、計数器Ｓ２が、例えば４９個のパチンコ玉６０を計数していたときには、１回の動作で１個のパチンコ玉６０を下流側に送出する動作を個数調節手段２４に１回行わせて、１個のパチンコ玉６０をスプリング通路１９の側に追加して送出・転走し、合計５０個のパチンコ玉６０をスプリング通路１９を介してパチンコ玉回収通路に還流させると共に、取出手段１２に所要の制御信号を出力してこれを動作させ、収納部１１の最下部などに収納されていた飲料物７０を取出口１３に搬送して、飲料物７０とパチンコ玉６０との交換販売を終了するように構成することもできる。
【００４４】
また、スロットマシンに併設し、飲料物などをスロットマシンで使用するコインと交換して販売する台間景品交換販売機とすることもできる。
【００４５】
【発明の効果】
以上説明したように、本発明の台間景品交換販売機においては、パチンコ玉などの遊技媒体を投入口に投入する動作が簡単になると共に、投入した遊技媒体の個数が短時間で計測されるので、飲料物の交換販売が速やかに行える。
【００４６】
また、余剰な遊技媒体は返却口から返却されるので、遊技客は広口の受け部に遊技媒体を多目に投入するだけで良く、余分な神経を使わわなくて済むため遊技に集中することができる。
【図面の簡単な説明】
【図１】一実施形態を示す説明図。
【図２】一実施形態の要部を示す説明図。
【図３】設置状態を示す説明図。
【図４】他の実施形態を示す説明図。
【符号の説明】
１  台間景品交換販売機
１１  収納部
１２  取出手段
１３  取出口
１４  前面パネル
１５・１５ａ  鍵穴
１６  表示器
１７  投入口
１８  受け部
１９  スプリング通路
２０  転走路
２０ａ  開口
２１  返却転走路
２２  返却口
２２ａ  受け部
２３  分岐点
２４  個数調節手段
２５  転走路切換手段
２６  開閉板部材
２７  制御器
２８  開閉手段
２９  転走阻止手段
５０  パチンコ遊技機
５５  台間玉貸し機
６０  パチンコ玉
７０  飲料物
Ｓ１・Ｓ２・Ｓ３  計数器
【図１】
0004010581.tif 000002
【図２】
0004010581.tif 000003
【図３】
0004010581.tif 000004
【図４】
0004010581.tif 000005